(57)【要約】      （修正有）【課題】グレーチングの受枠に支持される部分にゴミが入って溜り、ゴミの腐食による腐敗臭や不衛生になる、といった問題を解消する。【解決手段】受枠１１に支持されるグレーチング１７端に角パイプ１８を固着し、角パイプ上面は滑り止めのため凹凸に形成されると共に、下面には支持材９を一定間隔で固定して支持材間に流路を形成する。グレーチング１７と受枠１１との間の隙間に入り込んだゴミは雨水や洗浄水の流入と共に流路を通って側溝内に押し流され排出される。【選択図】図４
2007205117.tif 000002
【特許請求の範囲】
【請求項１】
側溝等に取付けられる受枠に或いは受枠を介さないで側溝等に直接又は嵩上げ部材を介して装着されるグレーチングの取付構造であって、グレーチング又はグレーチングに取付けられる嵩上げ部材が受枠或いは側溝等に支持材により適当間隔で支持され、支持材間に流路を形成することを特徴とするグレーチングの取付構造。
【請求項２】
側溝等に取付けられる受枠に或いは受枠を介さないで側溝等に直接装着されるグレーチングの取付構造であって、グレーチングには受枠或いは側溝等への装着部分に角パイプが固着され、角パイプが受枠又は側溝等に支持部材により適当間隔で支持され、支持材間に流路を形成することを特徴とするグレーチングの取付構造。
【請求項３】
前記支持材がグレーチング又は嵩上げ部材に固定されることを特徴とする請求項１又は２記載のグレーチングの取付構造。
【発明の詳細な説明】
【技術分野】
【０００１】
本発明は、道路の側溝、集排水桝、投雪口、とりわけ調理場の排水溝に装着するのに適したグレーチングの取付構造に関する。
【背景技術】
【０００２】
グレーチングが装着される主要な用途に道路の側溝、集排水桝、投雪口、調理場の排水溝（これらを以下単に「側溝等」という）があり、グレーチングを通して雨水や調理場を洗浄したときの洗浄水を排水するようにしている。
【０００３】
グレーチングは通常、端板間に並設される主部材と、主部材と直交して配置されるツイストバー等の補助部材よりなり、多くの場合、図１に示すようにグレーチング１は側溝等に取付けられるＬ形断面の受枠２に装着されるか、或いは側溝等に直接又は嵩上げ部材を介して装着されるようになっている。
【０００４】
下記特許文献１には、グレーチングの両側に脚付きのサイドカバー部を取付けて受枠に支持させたものが開示されている。
【特許文献１】実用新案登録第３１１４２２４号
【発明の開示】
【発明が解決しようとする課題】
【０００５】
図１に示す側溝に装着されるグレーチング１のうち、受枠２に支持されるグレーチング端部分１ａ及びグレーチングの端板と受枠２との間の隙間３には、ごみが溜まって水が滞留し易く、溜まったごみが腐敗し易い。グレーチング端部分やグレーチング端板と受枠との間の隙間に溜まるごみは、食品を扱う調理場ではことに問題で、不衛生となりがちである。
【０００６】
この点、特許文献１に開示されるグレーチングでは、グレーチング両端に取付けられるサイドカバー部で受枠が覆われ、これよりゴミが入り込むことはないが、サイドカバー部と受枠との間よりゴミ、ことに水が入り込んで溜り、腐敗臭を漂わすおそれがある。
【０００７】
本発明は、グレーチングの受枠に支持される部分のみならず、グレーチングと受枠との間の隙間にごみや水が溜りにくくしたグレーチングの取付構造を提供することを目的とする。
【課題を解決するための手段】
【０００８】
請求項１に係わる発明は、側溝等に取付けられる受枠に或いは受枠を介さないで側溝等に直接又は嵩上げ部材を介して装着されるグレーチングの取付構造であって、グレーチング又はグレーチングに取付けられる嵩上げ部材が受枠或いは側溝等に支持材により適当間隔で支持され、支持材間に流路を形成することを特徴とし、
請求項２に係わる発明は、側溝等に取付けられる受枠に或いは受枠を介さないで側溝等に直接装着されるグレーチングの取付構造であって、グレーチングには受枠或いは側溝等への装着部分に角パイプが固着され、角パイプが受枠又は側溝等に支持部材により適当間隔で支持され、支持材間に流路を形成することを特徴とする。
【０００９】
上記各発明の支持材は、断面が例えば円形ないし矩形のロッドないし棒状で、中空であってもよい。この支持材はグレーチングや受枠とは固定されていなくてもよいが、好ましくはグレーチングと受枠の一方、より好ましくはグレーチングに固定される。
【００１０】
請求項３に係わる発明は、請求項１又は２に係わる発明において、支持材がグレーチング又は嵩上げ部材に固定されることを特徴とする。
【発明の効果】
【００１１】
請求項１に係わる発明によると、支持材間が流路となり、受枠上のグレーチング端部分やグレーチング端と受枠との間にごみが入り込んでも雨水や洗浄水等の流入により一緒に押し流され、溜まったごみの腐敗による悪臭や不衛生を解消することができ、調理場の排水溝に設置されるグレーチングの取付構造に適する。
【００１２】
請求項２に係わる発明においては、グレーチング端部分にごみが溜まるのをより確実に防ぐことができ、グレーチングと受枠との間にごみが入り込むようなことがあっても、請求項１に係わる発明と同様、雨水や洗浄水等の流入により一緒に押し流され、溜まったごみの腐敗による悪臭や不衛生を解消することができる。
【００１３】
請求項３に係わる発明によると、グレーチングを受枠又は側溝等に装着するだけで受枠または側溝等との間に支持材間の流路を形成することができ、またグレーチング上の車両の走行や歩行により支持材が動き、受枠又は側溝よりはみ出したり、外れるといった問題を生ずることがない。
【発明を実施するための最良の形態】
【００１４】
以下、本発明の実施形態について図面により説明する。
図２は、受枠１１に装着されたグレーチング５の側面図であり、図３は図２のＡ−Ａ線断面を示すもので、グレーチング５は、端板６間に細板状の主部材７を定間隔で並設すると共に、主部材７と直交して配設されるツイストバー８よりなり、主部材７には数個ごとに受枠１１に支持される箇所に角材よりなる支持材９が溶接にて固着され、グレーチング５を受枠１１に装着したとき、グレーチング５が受枠１１に支持材９を介して支持され、支持材９間が流路１２となり、主部材間に入り込んだゴミが雨水の流入と共に矢印で示すように側溝１４内に押し流され、また受枠上のグレーチング５に入り込んだゴミ或いはグレーチング５の端板６と受枠１１との間の隙間１３に入り込んだゴミも矢印で示すように雨水の流入と共に支持材間の流路１２を通って側溝内に排出されるようになっている。図中、１５は受枠１１を固定するため側溝に埋設されるアンカーである。
【００１５】
図４に示す実施形態では、グレーチング１７端にグレーチングと同じ高さの角パイプ１８が固着され、角パイプ上面は図示していないが、滑り止めのため凹凸に形成され、また角パイプ下面には、前記グレーチング５と同様、各パイプ１８の長手方向に一定間隔で前記支持材９が溶接にて固着されている。そしてグレーチング１７を受枠１１に装着したとき、受枠上に支持材９を介して支持され、支持材間に流路が形成されるようになっている。
【００１６】
上記各実施形態では、グレーチング５、１７は受枠１１に支持材９を介して支持されるようになっているが、受枠を介さないで側溝等に直接取付けるようにしてもよい。またグレーチング５、７に嵩上げ材を取付ける場合、嵩上げ材に受枠又は側溝に支持される支持材を取付けるようにしてもよい。
【図面の簡単な説明】
【００１７】
【図１】受枠にグレーチングを装着した側溝の部分断面図。
【図２】側溝の受枠に装着される本発明に係わるグレーチングの側面図。
【図３】図２のＡ−Ａ線における部分断面図。
【図４】別の実施形態の図２のＡ−Ａ線における部分断面図。
【符号の説明】
【００１８】
１、１７・・グレーチング
６・・端板
７・・主部材
８・・ツイストバー
９・・支持材
１１・・受枠
１２・・流路
１３・・隙間
１４・・側溝
１８・・角パイプ
【図１】
2007205117.tif 000003
【図２】
2007205117.tif 000004
【図３】
2007205117.tif 000005
【図４】
2007205117.tif 000006